(57)【要約】  本発明は、空間の活用を最大化し、温熱治療ベッドの体積を最小化して温熱治療ベッドの保管および移動を容易にするために、内部に温熱治療装置が備えられるベッド本体と、ベッド本体の両側面とそれぞれ連結される側面フレームと、ベッド本体を支持し、側面フレームとそれぞれ連結されるベッド脚を含み、温熱治療装置はベッド本体の中央部に配置されてベッド本体の下部面に段を形成し、ベッド脚はベッド本体の内側方向に折り畳まれて温熱治療装置の両側に設けられた空間に収容される温熱治療ベッドを提供する。
2020507378.tif 000002
【特許請求の範囲】
【請求項１】
内部に温熱治療装置が備えられるベッド本体；
前記ベッド本体の両側面とそれぞれ連結される側面フレーム；および
前記ベッド本体を支持し、前記の側面フレームとそれぞれ連結されるベッド脚を含み、
前記温熱治療装置は前記ベッド本体の中央部に配置されて前記ベッド本体の下部面に段を形成し、前記ベッド脚は前記ベッド本体の内側方向に折り畳まれて前記温熱治療装置の両側に設けられた空間に収容される、温熱治療ベッド。
【請求項２】
前記ベッド脚および前記の側面フレームをそれぞれ連結する折り畳み部をさらに含む、請求項１に記載の温熱治療ベッド。
【請求項３】
前記折り畳み部は
前記ベッド脚が前記ベッド本体の外側方向に広げられると、前記ベッド脚が前記ベッド本体の外側に外れることを防止する係止部を含む、請求項２に記載の温熱治療ベッド。
【請求項４】
前記折り畳み部は
前記ベッド脚が前記ベッド本体の外側方向に広げられると、前記ベッド脚を固定する第１固定部をさらに含む、請求項２に記載の温熱治療ベッド。
【請求項５】
前記ベッド脚が前記ベッド本体の内側方向に折り畳まれると、前記ベッド脚の下部面および前記温熱治療装置の下部面は同一平面をなす、請求項１に記載の温熱治療ベッド。
【請求項６】
前記ベッド脚が前記ベッド本体の外側方向に広げられると、前記の側面フレームの一側面および前記ベッド脚の一側面は同一平面をなす、請求項１に記載の温熱治療ベッド。
【請求項７】
前記ベッド脚の一端にそれぞれ備えられる第２固定部
前記温熱治療装置の両端にそれぞれ備えられ、前記ベッド脚が前記ベッド本体の内側方向に折り畳まれると、前記第２固定部とそれぞれ締結されて前記ベッド脚をそれぞれ固定する第３固定部をさらに含む、請求項１に記載の温熱治療ベッド。
【発明の詳細な説明】
【技術分野】
【０００１】
本発明は温熱治療ベッドに関する。
【背景技術】
【０００２】
最近不適切な姿勢で長い間作業を継続したり、長期間に亘ってこのような姿勢が習慣化されることによって発生する脊椎部位の筋肉および神経組織で発生する急性または慢性的な痛みを緩和させ、身体の血液の循環を改善したり瞬間的な筋肉の凝りなどを解消するために、ユーザーの身体部位に沿って移動しながら痛み発生部位に温熱による刺激を加えて血行を改善させる温熱治療ベッドが広く使われている。
【０００３】
従来の温熱治療ベッドは、左側面フレーム、右側面フレーム、これら側面フレームを互いに連結させる連結フレームおよび連結フレームの上部に配置されるベッド本体をそれぞれ別途に製造し、これらを組み立てることによって製造されるため、製造工程が複雑であるだけでなく製造費用が増加する問題点がある。
【０００４】
また、温熱治療ベッドの脚は各側面フレームに連結されて常に固定状態で維持されるため、温熱治療ベッドを使わない場合、すなわち、温熱治療ベッドを保管または移動する場合、温熱治療ベッドが占める空間によって温熱治療ベッドの保管および移動が容易でない問題点がある。
【発明の概要】
【発明が解決しようとする課題】
【０００５】
本発明は製造工程を単純化し、製造費用を節減できる温熱治療ベッドを提供することを目的とする。
【０００６】
また、本発明は、空間の活用を最大化し、温熱治療ベッドの体積を最小化して温熱治療ベッドの保管および移動を容易にさせ得る温熱治療ベッドを提供することを目的とする。
【課題を解決するための手段】
【０００７】
前述した目的を達成するために、本発明は、内部に温熱治療装置が備えられるベッド本体と、ベッド本体の両側面とそれぞれ連結される側面フレームと、ベッド本体を支持し、側面フレームとそれぞれ連結されるベッド脚を含み、温熱治療装置はベッド本体の中央部に配置されてベッド本体の下部面に段を形成し、ベッド脚はベッド本体の内側方向に折り畳まれて温熱治療装置の両側に設けられた空間に収容される、温熱治療ベッドを提供する。
【０００８】
ここで、ベット脚および側面フレームをそれぞれ連結する折り畳み部をさらに含むことができる。
【０００９】
また、折り畳み部はベッド脚がベッド本体の外側方向に広げられると、ベッド脚がベッド本体の外側に外れることを防止する係止部を含むことができる。
【００１０】
また、折り畳み部はベッド脚がベッド本体の外側方向に広げられると、ベッド脚を固定する第１固定部をさらに含むことができる。
【００１１】
また、ベッド脚がベッド本体の内側方向に折り畳まれると、ベッド脚の下部面および温熱治療装置の下部面は同一平面をなすことができる。
【００１２】
また、ベッド脚がベッド本体の外側方向に広げられると、側面フレームの一側面およびベッド脚の一側面は同一平面をなすことができる。
【００１３】
また、ベッド脚の一端にそれぞれ備えられる第２固定部と、温熱治療装置の両端にそれぞれ備えられ、ベッド脚がベッド本体の内側方向に折り畳まれると、第２固定部とそれぞれ締結されてベッド脚をそれぞれ固定する第３固定部をさらに含むことができる。
【００１４】
また、第２固定部はベッド脚の内側に備えられる突起部であり、第３固定部はベッド本体の下部方向に凹んだ形状を有する凹部であり得る。
【００１５】
また、第２固定部はベッド脚の内側に備えられる凹部であり、第３固定部はベッド本体の下部方向に膨らんだ形状を有する突起部であり得る。
【００１６】
ここで、突起部は凹部に締り嵌めされてベッド脚をそれぞれ固定することができる。
【発明の効果】
【００１７】
本発明によると、側面フレーム、側面フレームを互いに連結する連結フレームおよび連結フレームの上部に配置されるベッド本体をそれぞれ別途に製造し、これらを組み立てる既存の温熱治療ベッド製造工程より製造工程を単純化し、製造費用を節減できる効果がある。
【００１８】
また、本発明によると、空間の活用を最大化するために、ベッド脚がベッド本体の内側方向に折り畳まれて温熱治療装置の両側に設けられた空間に収容されることによって、温熱治療ベッドの保管および移動時に温熱治療ベッドの体積を最小化して温熱治療ベッドの保管および移動を容易にすることができる効果がある。
【００１９】
また、本発明によると、ベッド脚が折り畳まれた温熱治療ベッドを、保管および移動のために底に下ろした時に温熱治療ベッドが底面と平行をなすようにすることによって、温熱治療ベッドの保管および移動をより一層容易にすることができる効果がある。
【図面の簡単な説明】
【００２０】
【図１】本発明の実施例に係る温熱治療ベッドの斜視図であって、ベッド脚を広げた時の斜視図。
【図２】本発明の実施例に係る温熱治療ベッドの側面図であって、ベッド脚を広げた時の側面図。
【図３】本発明の実施例に係る温熱治療ベッドの斜視図であって、ベッド脚を折り畳んだ時の斜視図。
【図４】本発明の実施例に係る温熱治療ベッドの側面図であって、ベッド脚を折り畳んだ時の側面図。
【発明を実施するための形態】
【００２１】
以下、添付した図面を参照して本発明の実施例について、本発明が属する技術分野で通常の知識を有する者が容易に実施できるように詳細に説明する。本発明は多様な異なる形態で具現され得、ここで説明する実施例に限定されない。図面において、本発明を明確に説明するために説明と関係のない部分は省略したし、明細書の全体を通じて同一または類似する構成要素については同じ参照符号を付した。
【００２２】
本明細書で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部分品またはこれらを組み合わせたものなどの存在または付加の可能性をあらかじめ排除しないものと理解されるべきである。
【００２３】
図１は本発明の実施例に係る温熱治療ベッドの斜視図であって、ベッド脚を広げた時の斜視図であり、図２は本発明の実施例に係る温熱治療ベッドの側面図であって、ベッド脚を広げた時の側面図である。
【００２４】
そして、図３は本発明の実施例に係る温熱治療ベッドの斜視図であって、ベッド脚を折り畳んだ時の斜視図であり、図４は本発明の実施例に係る温熱治療ベッドの側面図であって、ベッド脚を折り畳んだ時の側面図である。
【００２５】
図１〜図４に図示した通り、本発明の実施例に係る温熱治療ベッドは、ベッド本体１００、側面フレーム１１０、１２０およびベッド脚１３０、１４０を含むことができる。
【００２６】
ベッド本体１００の内部にはベッド本体１００の長さ方向に温熱治療装置１５０が備えられる。このような温熱治療装置１５０は、ユーザーがベッド本体に横になった時、ユーザーの身体部位に沿って移動しながら痛み発生部位に温熱による刺激を加えて血行を改善させる役割をする。
【００２７】
具体的には、温熱治療装置１５０は陶磁部材（図示されず）、移送手段（図示されず）およびセンサ部（図示されず）を含むことができる。
【００２８】
ここで、陶磁部材は、その内部に発熱部材が備えられ、移送手段によってベッド本体１００の長さ方向に移動しながらユーザーの身体の一部と接触して、温熱の供給を通じてのマッサージ機能および灸の機能を遂行する。
【００２９】
また、センサ部は、センサおよびスキャナーで構成され得、マッサージまたは灸の作業時にユーザーの身体情報を感知して陶磁部材がユーザーオーダーメード型マッサージまたは灸作業を遂行できるようにする。
【００３０】
図面に図示してはいないが、ベッド本体１００は下部ベッド本体および上部ベッド本体で構成され得、この場合、上部ベッド本体が下部ベッド本体からスライディングしながら展開されるか下部ベッド本体と重なり得る。
【００３１】
このように、温熱治療ベッドを使わない場合、上部ベッド本体を下部ベッド本体と重なるようにスライディングさせうることによって、空間の活用を容易にすることができる。
【００３２】
図１および図２に図示した通り、側面フレーム１１０、１２０は、左側面フレーム１１０および右側面フレーム１２０を含み、ベッド本体１００の両側面とそれぞれ連結される。そして、ベッド脚１３０、１４０は、左側ベッド脚１３０および右側ベッド脚１４０を含み、側面フレーム１１０、１２０とそれぞれ連結されてベッド本体１００を支持する。
【００３３】
また、ベッド脚１３０、１４０は左側面フレーム１１０および右側面フレーム１２０の両側からそれぞれ延びた総４個の脚で構成され得るが、ベッド本体１００をより堅固に支持するために、左側ベッド脚１３０および右側ベッド脚１４０のそれぞれは支持面に対応して互いに連結されることが好ましい。
【００３４】
一方、本発明の実施例に係る温熱治療ベッドはベッド本体１００と側面フレーム１１０、１２０が一体に形成され得る。
【００３５】
これを通じて、側面フレーム、側面フレームを互いに連結する連結フレームおよび連結フレームの上部に配置されるベッド本体をそれぞれ別途に製造し、これらを組み立てる既存の温熱治療ベッド製造工程より製造工程を単純化し、製造費用を節減することができる。
【００３６】
図２および図４に図示した通り、温熱治療装置１５０はベッド本体１００の中央部に配置されてベッド本体１００の下部面に段を形成するようになり、これにより、温熱治療器１５０が配置されていないベッド本体１００の両側にそれぞれ空間が形成される。
【００３７】
ここで、図３および図４に図示した通り、本発明の実施例に係る温熱治療ベッドは、このような空間を活用して、温熱治療ベッドを使用する場合にはベッド脚１３０、１４０を広げてベッド本体１００を支持し、温熱治療ベッドを使わない場合、例えば、温熱治療ベッドを保管または移動する場合にはベッド脚１３０、１４０を折り畳んでベッド本体１００の両側に形成された空間に収容することができる。
【００３８】
この時、ベッド脚１３０、１４０の長さは温熱治療器１５０が配置されていないベッド本体１００の両側に形成された空間の幅と同一に形成され得る。
【００３９】
すなわち、図４に図示した通り、本発明の実施例に係る温熱治療ベッドのベッド脚１３０、１４０は、ベッド本体１００の内側方向に折り畳まれて温熱治療装置１５０の両側に設けられた空間に収容され得る。
【００４０】
これに伴い、温熱治療ベッドの保管および移動時に温熱治療ベッドの体積を最小化して温熱治療ベッドの保管および移動を容易にすることができる。
【００４１】
一方、ベッド脚１３０、１４０がベッド本体１００の内側方向に折り畳まれると、ベッド脚１３０、１４０の下部面および温熱治療装置１５０の下部面は同一平面をなすことができる。
【００４２】
例えば、ベッド脚１３０、１４０は、略９０度だけ折り畳まれ得、温熱治療装置１５０によりベッド本体１００の下部面に形成された段と同じ幅で形成され得る。
【００４３】
これにより、ベッド脚１３０、１４０が折り畳まれた温熱治療ベッドを、保管および移動のために底に下ろした時に温熱治療ベッドが底面と平行をなすようにすることができる。これを通じて、温熱治療ベッドの保管および移動をより一層容易にすることができる。
【００４４】
また、図１および図２に図示した通り、ベッド脚１３０、１４０は略９０度だけ広げられ得、ベッド脚１３０、１４０がベッド本体１００の外側方向に広げられると、側面フレーム１１０、１２０の一側面およびベッド脚１３０、１４０の一側面は同一平面をなすことができる。
【００４５】
これにより、温熱治療ベッドを使うためにベッド脚１３０、１４０を広げた時にベッド脚１３０、１４０がベッド本体１００をより一層堅固に支持するようにすることができる。
【００４６】
また、図４に図示した通り、本発明の実施例に係る温熱治療ベッドは、ベッド脚１３０、１４０および側面フレーム１１０、１２０をそれぞれ連結してベッド脚１３０、１４０を折り畳み広げることができる折り畳み部１３５、１４５をさらに含むことができる。
【００４７】
このような、折り畳み部１３５、１４５は係止部（図示されず）および第１固定部（図示されず）を含むことができる。
【００４８】
ここで、係止部はベッド脚１３０、１４０がベッド本体１００の外側方向に広げられると、ベッド脚１３０、１４０がベッド本体１００の外側に外れることを防止する。
【００４９】
そして、第１固定部はベッド脚１３０、１４０がベッド本体１００の外側方向に広げられると、再び折り畳まれることを防止するためにベッド脚１３０、１４０を固定する。
【００５０】
また、本発明の実施例に係る温熱治療ベッドは、ベッド脚１３０、１４０が折り畳まれた状態で、温熱治療ベッドの保管または移動時にベッド脚１３０、１４０が再び広げられることを防止するために、第２固定部（図示されず）および第３固定部（図示されず）をさらに含むことができる。
【００５１】
ここで、第２固定部はベッド脚１３０、１４０の一端にそれぞれ備えられ、第３固定部は温熱治療装置１５０の両端にそれぞれ備えられ、ベッド脚１３０、１４０がベッド本体１００の内側方向に折り畳まれると、第２固定部とそれぞれ締結されてベッド脚１３０、１４０をそれぞれ固定する。
【００５２】
例えば、第２固定部はベッド脚１３０、１４０の内側に備えられる突起部であり、第３固定部はベッド本体１００の下部方向に凹んだ形状を有する凹部であり得る。この時、突起部は凹部に締り嵌めされてベッド脚１３０、１４０をそれぞれ固定することができる。
【００５３】
これとは異なり、第２固定部はベッド脚１３０、１４０の内側に備えられる凹部であり、第３固定部はベッド本体１００の下部方向に膨らんだ形状を有する突起部であり得る。この時、突起部は凹部に締り嵌めされてベッド脚１３０、１４０をそれぞれ固定することができる。
【００５４】
これにより、本発明の実施例に係る温熱治療ベッドは、ベッド脚１３０、１４０が折り畳まれた状態で、温熱治療ベッドの保管または移動時にベッド脚１３０、１４０が再び広げられることを防止することができる。
【００５５】
以上の説明は本発明の技術思想を例示的に説明したものに過ぎず、本発明が属する技術分野で通常の知識を有する者であれば、本発明の本質的な特性から逸脱しない範囲で多様な修正および変形が可能であろう。したがって、本発明に開示された実施例は、本発明の技術思想を限定するためのものではなく説明するためのものであって、このような実施例によって本発明の技術思想の範囲が限定されるものではない。本発明の保護範囲は下記の特許請求の範囲によって解釈されるべきであり、それと同等な範囲内にあるすべての技術思想は本発明の権利範囲に含まれるものと解釈されるべきである。
【符号の説明】
【００５６】
１００：ベッド本体
１１０、１２０：側面フレーム
１３０、１４０：ベッド脚
１５０：温熱治療装置
【図１】
2020507378.tif 000003
【図２】
2020507378.tif 000004
【図３】
2020507378.tif 000005
【図４】
2020507378.tif 000006
【国際調査報告】
2020507378.tif 000007
2020507378.tif 000008
2020507378.tif 000009
2020507378.tif 000010